(57)【特許請求の範囲】
【請求項１】
その一方主面にアース電極が形成されその他方主面にストリップ導体が形成される誘電体基板を含むストリップ線路において、
前記ストリップ導体の長さ方向に延びるスリットを形成することによって前記ストリップ導体を複数の幅狭導体部に分割し、前記複数の幅狭導体部の両端部が導体によって共通接続されていることを特徴とする、ストリップ線路。
【請求項２】
前記誘電体基板の他方主面に複数の溝を略平行に形成し、前記溝に前記幅狭導体部がそれぞれ埋め込まれていることを特徴とする、請求項１に記載のストリップ線路。
【請求項３】
請求項１または２記載のストリップ線路を用いた伝送線路。
【請求項４】
請求項１または２記載のストリップ線路を用いた共振器。
【請求項５】
請求項１または２記載のストリップ線路を用いたフィルタ。
【発明の詳細な説明】
【０００１】
【産業上の利用分野】
この発明はストリップ線路に関し、特にたとえば伝送線路，共振器またはフィルタなどに用いられる、ストリップ線路に関する。
【０００２】
【従来の技術】
従来より、たとえば平成３年（１９９１）１１月２１日付で公開された特開平３−２６２２０４号等において、図９に示すようにＵ字状のストリップ導体を有するストリップ線路１が知られている。このストリップ線路１では、誘電体基板２の一方主面にアース電極３が形成され、他方主面にストリップ導体４が形成される。
【０００３】
【発明が解決しようとする課題】
このストリップ線路１のＵ字状のストリップ導体４に高周波電流を流すと、図９の実線ａに示すように電流が流れるが、そのとき実線ｂに示すようなうず電流が流れる。うず電流はストリップ導体４の幅方向中央ほど大きくなる。なお、破線ｃは磁界を示す。
【０００４】
このようにうず電流が流れることによって、うず電流と本来の電流（実線ａ）とが相殺されてしまい、ストリップ導体４の内部での電流分布がほぼ０に近くなり、電流分布はストリップ導体４の幅方向両端に偏在してしまう。この状態を図１０に示す。図１０においてＩ１  は、図９のストリップ導体４のＡ−Ａ断面の幅方向の電流分布を示す。したがって、ストリップ導体４の断面積が実質的に小さくなり、損失が大きくなり、Ｑを大きくするには限界があった。
【０００５】
それゆえに、この発明の主たる目的は、Ｑを大きくできる、ストリップ線路を提供することである。
この発明の他の目的は、Ｑを大きくしたストリップ線路を用いた、伝送線路を提供することである。
この発明の他の目的は、Ｑを大きくしたストリップ線路を用いた、共振器を提供することである。
【０００６】
この発明のさらに他の目的は、Ｑを大きくしたストリップ線路を用いた、フィルタを提供することである。
【０００７】
【課題を解決するための手段】
この発明は、その一方主面にアース電極が形成されその他方主面にストリップ導体が形成される誘電体基板を含むストリップ線路において、前記ストリップ導体の長さ方向に延びるスリットを形成することによって前記ストリップ導体を複数の幅狭導体部に分割し、前記複数の幅狭導体部の両端部が導体によって共通接続されていることを特徴とする、ストリップ線路である。
【０００８】
【作用】
この発明では、ストリップ導体をその長さ方向に延びるスリットによって、複数の幅狭導体部に分割して並列接続したので、うず電流は各幅狭導体部毎に生じ、ストリップ導体全体として見た場合、スリットを形成しない場合に比較してストリップ導体の断面積の実質的な減少が抑制され、損失が軽減される。
【００１０】
【発明の効果】
この発明によれば、ストリップ導体の断面積を実質的に大きくできるので、ストリップ線路やそれを用いる伝送線路、共振器あるいはフィルタ等において、Ｑを大きくすることができる。
この発明の上述の目的、その他の目的、特徴および利点は、図面を参照して行なう以下の実施例の詳細な説明から一層明らかとなろう。
【００１１】
【実施例】
図１を参照して、この実施例のストリップ線路１０は誘電体基板１２を含む。誘電体基板１２の一方主面にはたとえば金属からなるアース電極１４がたとえば全面に形成され、誘電体基板１２の他方主面上にはたとえば金属からなるＵ字状のストリップ導体１６が形成される。図２からもわかるように、ストリップ導体１６の長さ方向にはスリット１８が入れられ、ストリップ導体１６は長さ方向に分割される。この実施例では、２つの略平行なスリット１８が入れられることによって、ストリップ導体１６が３分割される。ストリップ導体１６が分割されることによって得られる幅の狭い各導体部を１６ａ，１６ｂおよび１６ｃとすると、導体部１６ａ，１６ｂおよび１６ｃの両端部は導体２０によって共通接続される。このようにして、ストリップ導体１６は、複数の幅狭の導体部（この実施例では３つの導体部１６ａ，１６ｂおよび１６ｃ）を並列接続した構造となる。
【００１２】
このように形成されたストリップ線路１０のストリップ導体１６に高周波電流を流すと、その電流分布は図３に示すようになる。
図３において、Ｉ２  ，Ｉ３  およびＩ４  は、それぞれ、ストリップ線路１０のＢ−Ｂ断面における導体部１６ａ，１６ｂおよび１６ｃの幅方向の電流分布を示す。
【００１３】
図３からわかるように、導体部１６ａ、１６ｂおよび１６ｃの中央部付近では、うず電流の影響により電流分布が０に近くなり、それぞれの幅方向両端部に電流が偏在する。このように電流が偏在する部分の長さをδとすると、各導体部１６ａ、１６ｂ、および１６ｃ毎にうず電流が生じるため、導体部１６ａ、１６ｂおよび１６ｃでその長さの合計は６δとなる。これに対して従来では、図１０からわかるように、ストリップ導体の両端部にのみ電流が偏在するため、電流が偏在している部分の長さは合計２δとなる。したがって、従来に比べて実質的な断面積が大幅に大きくなる。その結果、損失が小さくなり、Ｑを大きくすることができる。
【００１４】
図４に示す他の実施例のストリップ線路３０は、図５に示すように、誘電体基板１２の主面上に複数（この実施例では３つ）のＵ字状の溝３２を略平行に形成し、その溝３２を埋め込むようにしてＵ字状のストリップ導体３４を形成したものである。このように溝３２にストリップ導体３４の下部を埋め込むことによって、実質的にストリップ導体３４の断面積を上記実施例よりさらに大きくできるので、Ｑを大きくすることができる。
【００１５】
さらに、図６に示すその他の実施例のストリップ線路４０は、図１の実施例と図４の実施例とを組み合わせたものである。すなわち、ストリップ線路４０の誘電体基板１２の主面上には、図４に示す誘電体基板１２と同様、図５に示す複数のＵ字状の溝３２が略平行に形成されている。そして、その溝３２をストリップ導体１６の下部で埋め、その両端部を共通接続する。すなわち、ストリップ導体１６には長さ方向にスリット１８が入れられ、３つの幅狭の導体部１６ａ，１６ｂおよび１６ｃが並列接続された構造のストリップ導体１６を形成する。しかも、溝３２に各導体部１６ａ，１６ｂおよび１６ｃの下部が埋め込まれることによって、ストリップ導体１６は深さ方向にも分割される。図７（Ａ）に、図６の実施例の誘電体基板１２の要部断面を示し、図７（Ｂ）にその溝３２に導体部１６ａ，１６ｂおよび１６ｃが埋め込まれた状態を示す。
【００１６】
この実施例のストリップ線路４０では、図１と同様の効果によって実質的な有効断面積を大きくできるとともに、導体部１６ａ，１６ｂおよび１６ｃを溝３２に埋め込むことによってさらに断面積を大きくできる。したがって、Ｑをさらに大きくすることができる。
なお、上述の各実施例は、先に挙げた特開平３−２６２２０４号公報に開示された第２図のアクティブフィルタ１０′などのフィルタ，ストリップライン共振器１２などの共振器およびストリップ線路１８および２２などの伝送線路や、第３Ａ図ないし第３Ｄ図に示すストリップライン共振器の変形例にも適用し得る。したがって、共振器や伝送線路のＱを向上でき、さらにフィルタの全体としての特性を向上できる。なお、特開平３−２６２２０４号公報の第３Ａ図ないし第３Ｄ図に適用する場合には、それぞれ図８（Ａ）ないし（Ｄ）に示すような形状になる。
【００１７】
ただし、ストリップ線路はＵ字状に限定されず、Ｉ字状やその他の任意の形状のストリップ線路にもこの発明を適用し得る。
【図面の簡単な説明】
【図１】この発明の一実施例を示す斜視図である。
【図２】図１実施例のストリップ導体を示す平面図である。
【図３】図１実施例のＢ−Ｂ断面における電流分布を示す図解図である。
【図４】この発明の他の実施例を示す斜視図である。
【図５】誘電体基板の主面上に溝を形成した状態を示す斜視図である。
【図６】この発明のその他の実施例を示す斜視図である。
【図７】（Ａ）は図６実施例の誘電体基板の要部断面を示し、（Ｂ）はその溝に導体部を埋め込んだ状態を示す図解図である。
【図８】ストリップ導体の変形例を示す図解図である。
【図９】従来技術を示す斜視図である。
【図１０】従来技術のＡ−Ａ断面における電流分布を示す図解図である。
【符号の説明】
１０，３０，４０  …ストリップ線路
１２  …誘電体基板
１４  …アース電極
１６，３４  …ストリップ導体
１８  …スリット
３２  …溝
【図１】
0003587264.tif 000002
【図２】
0003587264.tif 000003
【図３】
0003587264.tif 000004
【図４】
0003587264.tif 000005
【図５】
0003587264.tif 000006
【図６】
0003587264.tif 000007
【図７】
0003587264.tif 000008
【図８】
0003587264.tif 000009
【図９】
0003587264.tif 000010
【図１０】
0003587264.tif 000011